(57)【特許請求の範囲】
【請求項１】
島設備の隣接する遊技機間に設置される装置本体と、
該装置本体に配設されるとともに、所定の画像表示を行い得る表示画面を有した画像表示手段と、
を具備した台間表示装置において、
前記画像表示手段は、装置本体の内部に収容された収容位置と、当該装置本体から突出して表示画面を視認させ得る突出位置との間で移動可能とされるとともに、
前記画像表示手段を前記収容位置から突出位置に向かって常時付勢する付勢手段と、
前記画像表示手段を前記収容位置で係止可能な操作手段と、
を具備し、前記操作手段を操作することにより係止を解除し、前記付勢手段の付勢力にて当該画像表示手段を前記収容位置から突出位置まで自動的に移動させるものとされ、且つ、当該付勢手段は、ベルトを介して前記収容位置から突出位置に向かって前記画像表示手段に付勢力を伝達させ得ることを特徴とする台間表示装置。
【請求項２】
前記画像表示手段は、前記突出位置で前記表示画面の向きが任意調整可能とされたことを特徴とする請求項１記載の台間表示装置。
【請求項３】
前記画像表示手段は、前記収容位置から突出位置に至ると前記表示画面が自動的に所定の向きとされることを特徴とする請求項１記載の台間表示装置。
【発明の詳細な説明】
【技術分野】
【０００１】
本発明は、島設備の隣接する遊技機間に設置される装置本体と、該装置本体に配設されるとともに、所定の画像表示を行い得る表示画面を有した画像表示手段とを具備した台間表示装置に関するものである。
【背景技術】
【０００２】
遊技場における島設備には、パチンコ遊技機等の遊技機が複数設置されるとともに、隣接する遊技機の間には台間表示装置が設置されているものがある。従来の台間表示装置は、島設備の隣接する遊技機間に設置される筐体としての装置本体と、該装置本体に突出状態で配設されるとともに所定の画像表示を行い得る表示画面（液晶画面等）を有した画像表示手段（液晶ユニット）とを備えており、当該表示画面に種々情報を把握し得る画像（例えば遊技機や遊技場に関する情報或いはテレビ画像等）を表示して、遊技機前に着座した遊技者が視認し得るようになっていた。尚、かかる先行技術は、文献公知発明に係るものでないため、記載すべき先行技術文献情報はない。
【発明の概要】
【発明が解決しようとする課題】
【０００３】
しかしながら、上記従来の台間表示装置においては、画像表示手段が装置本体に突出状態で配設されていたため、遊技中に画像表示手段の表示画面を見ないとき（遊技者が表示画面を見る必要がないとき及び見たくないときの両者含む）等、当該画像表示手段が邪魔になってしまう虞があった。また、遊技機に対して所定の作業を行う際（例えばパチンコ遊技機の前枠を開放して内部のメンテナンスなどを行う際）、画像表示手段が邪魔となって作業性が悪化してしまう虞もあった。
【０００４】
本発明は、このような事情に鑑みてなされたもので、画像表示手段が邪魔になってしまうのを回避することができる台間表示装置を提供することにある。
【課題を解決するための手段】
【０００５】
請求項１記載の発明は、島設備の隣接する遊技機間に設置される装置本体と、該装置本体に配設されるとともに、所定の画像表示を行い得る表示画面を有した画像表示手段とを具備した台間表示装置において、前記画像表示手段は、装置本体の内部に収容された収容位置と、当該装置本体から突出して表示画面を視認させ得る突出位置との間で移動可能とされるとともに、前記画像表示手段を前記収容位置から突出位置に向かって常時付勢する付勢手段と、前記画像表示手段を前記収容位置で係止可能な操作手段とを具備し、前記操作手段を操作することにより係止を解除し、前記付勢手段の付勢力にて当該画像表示手段を前記収容位置から突出位置まで自動的に移動させるものとされ、且つ、当該付勢手段は、ベルトを介して前記収容位置から突出位置に向かって前記画像表示手段に付勢力を伝達させ得ることを特徴とする。
【０００８】
請求項２記載の発明は、請求項１記載の台間表示装置において、前記画像表示手段は、前記突出位置で前記表示画面の向きが任意調整可能とされたことを特徴とする。
【０００９】
請求項３記載の発明は、請求項１記載の台間表示装置において、前記画像表示手段は、前記収容位置から突出位置に至ると前記表示画面が自動的に所定の向きとされることを特徴とする。
【発明の効果】
【００１０】
請求項１の発明によれば、画像表示手段が、装置本体の内部に収容された収容位置と、当該装置本体から突出して表示画面を視認させ得る突出位置との間で移動可能とされ、表示画面を見るときに限り画像表示手段を突出位置として表示画面を視認させ得るとともに、当該表示画面を見ないときには画像表示手段を収容位置とすることができるので、画像表示手段が邪魔になってしまうのを回避することができる。
【００１１】
また、装置本体に操作手段を有するとともに、当該操作手段を操作することによって画像表示手段を収容位置から突出位置まで自動的に移動させるので、画像表示手段の操作性を向上させることができる。
【００１２】
さらに、画像表示手段を前記収容位置から突出位置に向かって付勢する付勢手段を具備し、操作手段は、当該画像表示手段を収容位置で係止可能とされるとともに、当該操作手段を操作することにより当該係止を解除し、付勢手段の付勢力にて当該画像表示手段を収容位置から突出位置まで自動的に移動させるので、モータなどの別個のアクチュエータを必要とせず、製造コストを低減させることができる。
【００１３】
請求項２の発明によれば、画像表示手段は、突出位置で表示画面の向きが任意調整可能とされたので、遊技者が任意に画像表示手段の表示画面の向きを変えることができ、当該表示画面の視認性を向上させることができる。
【００１４】
請求項３の発明によれば、画像表示手段は、収容位置から突出位置に至ると表示画面が自動的に所定の向きとされるので、画像表示手段の操作性をより一層向上させることができる。
【図面の簡単な説明】
【００１５】
【図１】本発明の第１の実施形態に係る台間表示装置を示す正面図
【図２】同台間表示装置（画像表示手段が収容位置にある状態）を示す側面図
【図３】同台間表示装置（画像表示手段が突出位置にある状態）を示す側面図
【図４】同台間表示装置（画像表示手段が突出位置にあり且つその表示画面の向きが変更された状態）を示す側面図
【図５】同台間表示装置における装置本体内の画像表示手段の移動機構を示す斜視図
【図６】同移動機構の表面側の詳細（画像表示手段を収容位置とする状態）を示す斜視図
【図７】同移動機構の裏面側の詳細（画像表示手段を収容位置とする状態）を示す斜視図
【図８】同移動機構の表面側の詳細（画像表示手段を突出位置とする状態）を示す斜視図
【図９】同移動機構の表面側の詳細（画像表示手段を突出位置とする状態、且つ、操作手段の操作前の状態）を示す斜視図
【図１０】同移動機構の詳細（画像表示手段を突出位置とする状態、且つ、操作手段の操作前の状態）を示す側面図
【図１１】同台間表示装置における画像表示手段の液晶ユニットを示す斜視図
【図１２】同台間表示装置における画像表示手段の固定側ユニットを示す斜視図
【図１３】同台間表示装置における画像表示手段の軸部材を示す斜視図
【図１４】同台間表示装置における画像表示手段の固定側ユニットに液晶ユニットを組み付けた状態を示す斜視図
【図１５】同台間表示装置における画像表示手段の表示画面を調整する前の状態を示す平面図
【図１６】同台間表示装置における画像表示手段の表示画面を調整した後の状態を示す平面図
【図１７】本発明の第２の実施形態に係る台間表示装置における画像表示手段を示す斜視図
【図１８】同台間表示装置における画像表示手段の固定側ユニットを示す斜視図
【図１９】同台間表示装置における画像表示手段の固定側ユニットに液晶ユニットを組み付けた状態を示す斜視図
【図２０】同台間表示装置における画像表示手段の固定側ユニットと液晶ユニットとの間に介在する付勢バネを示す斜視図
【図２１】本発明の実施形態に係る台間表示装置を島設備の隣接する遊技機間に設置した状態を示す正面図
【図２２】本発明の実施形態に係る台間表示装置及び遊技機を示す斜視図
【発明を実施するための形態】
【００１６】
以下、本発明の実施形態について図面を参照しながら具体的に説明する。
第１の実施形態に係る台間表示装置は、図２１及び図２２に示すように、遊技場内の島設備Ｓの隣接するパチンコ遊技機Ｐ間に設置されたもので、図１〜１０に示すように、装置本体２と、該装置本体２に配設されるとともに、所定の画像表示を行い得る表示画面３ａを有した画像表示手段３と、操作手段４と、移動機構５とから主に構成されている。
【００１７】
装置本体２は、島設備Ｓにおける隣接するパチンコ遊技機Ｐ間に設置されて本実施形態に係る台間表示装置１の筐体を成し、その内部に画像表示手段３、操作手段４及び移動機構５がそれぞれ組み付けられたものである。かかる装置本体２は、図２２に示すように、隣接するパチンコ遊技機Ｐと略等しい高さで、且つ、所定の幅寸法（画像表示手段３及び移動機構５を内在し得る寸法）を有した箱状部材から成る。
【００１８】
画像表示手段３は、装置本体２に配設されるとともに、所定の画像表示（例えばパチンコ遊技機Ｐや遊技場に関する情報或いはテレビ画像等の表示）を行い得る表示画面３ａ（本実施形態においては液晶表示画面）を有したものである。かかる画像表示手段３は、移動機構５によって、装置本体２の内部に収容された収容位置（図２参照）と、当該装置本体２から正面側に突出して表示画面３ａを視認させ得る突出位置（図３参照）との間で移動可能とされているとともに、突出位置で表示画面３ａの向きが任意調整可能（図４参照）とされている。
【００１９】
移動機構５は、図５に示すように、装置本体２の所定位置に配設されたもので、画像表示手段３を収容位置から突出位置に自動的に移動させるためのものである。かかる移動機構５は、図６、７に示すように、画像表示手段３の移動方向に延びる一対の溝６ａが形成された案内部材６と、該案内部材６の一対の溝６ａに嵌合しつつ当該溝６ａに沿って摺動可能とされるとともに画像表示手段３の固定側ユニット３ｂが固定される摺動部材７と、ベルトＶと、上下一対の付勢手段８とから主に構成されている。
【００２０】
ベルトＶは、両端がそれぞれ付勢手段８と連結されるとともに、途中の部位に摺動部材７が引掛けられており、付勢手段８の付勢力（具体的には、渦巻きバネ８ａによる付勢力）が常時摺動部材７に付与されるようになっている。即ち、付勢手段８の付勢力がベルトＶを介して摺動部材７に伝わり、当該摺動部材７を図６、７で示す位置から図８で示す位置に向かって常時付勢していることから、かかる摺動部材７と連結された画像表示手段３が収容位置から突出位置に向かって付勢されているのである。尚、図中符号Ｔ１〜Ｔ３は、ベルトＶを懸架して案内する案内ローラを示している。
【００２１】
操作手段４は、図９、１０で示すように、画像表示手段３を収容位置で係止可能とされるとともに、当該操作手段４を操作することにより当該係止を解除し、付勢手段８の付勢力にて当該画像表示手段３を収容位置から突出位置まで自動的に移動させるためのものである。即ち、操作手段４は、装置本体２の表面側に突出した操作部４ａと、画像表示手段３と係止し得る係止部４ｂと、操作手段４全体を常時上方に向かって付勢するコイルスプリング４ｃとから主に構成されている。
【００２２】
そして、操作部４ａを下方に押圧操作してコイルスプリング４ｃの付勢力に抗して操作手段４を下降させると、収容位置にある画像表示手段３と係止した係止部４ｂが下方に下がり、係止が解かれることから、当該画像表示手段３が付勢手段８による付勢力で突出位置まで自動的に（自然と）移動するよう構成されているのである。而して、操作手段４を操作することによって画像表示手段３を収容位置から突出位置まで自動的に移動させることができる。
【００２３】
ここで、本実施形態に係る画像表示手段３は、図２及び図１１〜１６に示すように、固定側ユニット３ｂと、液晶ユニット３ｃと、軸部材３ｆとから主に構成されており、当該軸部材３ｆを介して固定側ユニット３ｂに対して液晶ユニット３ｃが揺動自在に組み付けられて構成されている。而して、固定側ユニット３ｂに対して液晶ユニット３ｃが揺動することにより、液晶ユニット３ｃの表示画面３ａの向きを調整可能とされているのである。
【００２４】
液晶ユニット３ｃは、図１１に示すように、その表面に表示画面３ａが形成されるとともに、一側面に一対の膨出部３ｄが一体形成されている。これら膨出部３ｄには、それぞれ上下方向に貫通して軸部材３ｆが挿通可能な孔３ｄａが形成されており、それぞれの孔３ｄａの所定部位には、上下に延びる溝３ｄｂが形成されている。また、軸部材３ｆは、図１３に示すように、上下方向に凸条部３ｆａが一体的に形成されており、かかる凸条部３ｆａは、孔３ｄａの溝３ｄｂより幅寸法が小さく設定されている。これにより、孔３ｄａ内に挿通された軸部材３ｆの回転が所定角度だけ許容されるようになっている。
【００２５】
一方、固定側ユニット３ｂは、図１２に示すように、一側面（膨出部３ｄと対向する面）における上下位置及びそれらの中間位置に膨出部３ｅが一体形成されている。これら膨出部３ｅには、それぞれ上下方向に貫通して軸部材３ｆが挿通可能な孔３ｅａが形成されており、それぞれの孔３ｅａの所定部位には、上下に延びる溝３ｅｂが形成されている。かかる溝３ｅｂは、軸部材３ｆの凸条部３ｆａと略等しい幅寸法とされており、凸条部３ｆａを溝３ｅｂに合致させつつ孔３ｅａに軸部材３ｆを挿通させると、当該軸部材３ｆを固定側ユニット３ｂに連結して固定させることができる。
【００２６】
然るに、図１４に示すように、固定側ユニット３ｂの膨出部３ｅの間に液晶ユニット３ｃの膨出部３ｄを嵌め込んだ状態にて孔３ｄａ及び孔３ｅａに軸部材３ｆを挿通させることにより、図１５及び図１６に示すように、軸部材３ｆを中心として液晶ユニット３ｃが所定角度（凸条部３ｆが溝３ｄｂを成す壁に干渉するまでの角度）だけ揺動し得るようになっている。これにより、画像表示手段３が突出位置にあるとき、手動で液晶ユニット３ｃを揺動操作すれば、表示画面３ａの向きが任意に調整可能とされている。
【００２７】
本実施形態によれば、画像表示手段３は、突出位置で表示画面３ａの向きが手動にて任意調整可能とされたので、遊技者が任意に画像表示手段３の表示画面３ａの向きを変えることができ、当該表示画面３ａの視認性を向上させることができる。尚、固定側ユニット３ｂに対する液晶ユニット３ｃの揺動機構は、本実施形態による構成に限定されず、汎用的な種々揺動機構とすることができる。
【００２８】
次に、本発明の第２の実施形態に係る台間表示装置について説明する。
同台間表示装置は、第１の実施形態と同様、遊技場内の島設備Ｓの隣接するパチンコ遊技機Ｐ間に設置されたもので（図２１及び図２２参照）、図１〜１０に示すように、装置本体２と、該装置本体２に配設されるとともに、所定の画像表示を行い得る表示画面９ａを有した画像表示手段９と、操作手段４と、移動機構５とから主に構成されている。尚、第１の実施形態と同様の構成要素には、同一の符号を付し、それらの詳細な説明を省略する。
【００２９】
本実施形態に係る画像表示手段９は、図１７〜２０に示すように、固定側ユニット９ｂと、表示画面９ａ（液晶表示画面）が形成された液晶ユニット９ｃと、付勢バネ１０及び軸状部材１１等から成る付勢機構とから主に構成されており、当該付勢機構を介して固定側ユニット９ｂに対して液晶ユニット９ｃが揺動自在に組み付けられて構成されている。而して、固定側ユニット９ｂに対して液晶ユニット９ｃが揺動することにより、液晶ユニット９ｃの表示画面９ａの向きを調整可能とされているとともに、画像表示手段９は、収容位置から突出位置に至ると表示画面９ａが自動的に所定の向きとされるよう構成されている。
【００３０】
固定側ユニット９ｂは、図１８に示すように、一側面（液晶ユニット９ｃの一対の膨出部９ｃａと対向する面）における上下位置及びそれらの中間位置に膨出部９ｄが一体形成されている。これら膨出部９ｄには、それぞれ上下方向に貫通して付勢機構を構成する固定部材１２（図２０参照）が挿通可能な孔９ｄａが形成されており、それぞれの孔９ｄａには、付勢機構を構成する軸状部材１１の回動を所定角度許容する溝９ｄｂが形成されている。
【００３１】
付勢機構は、図２０に示すように、付勢バネ１０と、液晶ユニット９ｃの膨出部９ｃａに固定された軸状部材１１と、固定側ユニット９ｂの孔９ｄａに挿通されて固定されるとともに一体的に突出形成されたボス部１２ａを有した固定部材１２と、固定部材１２同士を連結する連結部材１３とから主に構成されている。付勢バネ１０は、同図に示すように、一端１０ａが固定部材１２のボス部１２ａに固定されるとともに、他端１０ｂが軸状部材１１の所定部位に固定されており、その弾力にて生じる復元力でボス部１２ａに対して軸状部材１１を所定方向に向かって付勢し得るよう構成されている。
【００３２】
このように、軸状部材１１が付勢バネ１０の付勢力（復元力）を受けて回動すると、膨出部９ｃａを介して液晶ユニット９ｃが固定側ユニット９ｂに対して揺動するよう構成されている。然るに、図１９に示すように、付勢機構を介して固定側ユニット９ｂに対して液晶ユニット９ｃを組み付けると、図１９に示すように、付勢バネ１０の付勢力にて当該液晶ユニット９ｃが固定側ユニット９ｂに対して所定角度揺動した状態となるよう構成されている。
【００３３】
即ち、図１９に示す如く、液晶ユニット９ｃが固定側ユニット９ｂに対して所定角度揺動した状態では、付勢バネ１０が自然状態（復元力が作用しない状態）になっており、その状態から、図１７に示すように、液晶ユニット９ｃを固定側ユニット９ｂに対して所定角度揺動させる（同図においては、固定側ユニット９ｂと液晶ユニット９ｃとが直線状に配列するまで揺動させる）と、付勢バネ１０の復元力が作用するようになっている。
【００３４】
而して、画像表示手段９が収容位置にあるときは、図１７に示すように、固定側ユニット９ｂと液晶ユニット９ｃとが直線状に配列されており、付勢バネ１０による付勢力が常時付与されているが、収容状態である故、固定側ユニット９ｂに対する液晶ユニット９ｃの揺動は規制されている。そして、操作手段４を操作して、画像表示手段９を収容位置から突出位置に移動させると、付勢バネ１０による付勢力（復元力）によって、軸部材１１が所定方向に回動し、それに伴って液晶ユニット９ｃが固定側ユニット９ｂに対して所定角度揺動する。これにより、画像表示手段９が収容位置から突出位置に至ると表示画面９ａが自動的に所定の向きとされる。
【００３５】
本実施形態によれば、画像表示手段９は、収容位置から突出位置に至ると表示画面９ａが自動的に所定の向きとされるので、画像表示手段９の操作性をより一層向上させることができる。また、付勢バネ１０の付勢力（復元力）によって、画像表示手段９が収容位置から突出位置に至ると表示画面９ａが自動的に所定の向きとされるので、簡単な構成にて表示画面９ａを所定の向きとすることができ、装置構成を簡素化することができる。尚、固定側ユニット９ｂに対する液晶ユニット９ｃの付勢構成は、本実施形態によるものに限定されず、汎用的な種々付勢構成とすることができる。
【００３６】
上記した第１の実施形態及び第２の実施形態に係る台間表示装置によれば、画像表示手段（３、９）が、装置本体２の内部に収容された収容位置と、当該装置本体２から突出して表示画面（３ａ、９ａ）を視認させ得る突出位置との間で移動可能とされ、表示画面（３ａ、９ａ）を見るときに限り画像表示手段（３、９）を突出位置として表示画面（３ａ、９ａ）を視認させ得るとともに、当該表示画面（３ａ、９ａ）を見ないときには画像表示手段（３、９）を収容位置とすることができるので、画像表示手段（３、９）が邪魔になってしまうのを回避することができる。
【００３７】
また、装置本体２に操作手段４を有するとともに、当該操作手段４を操作することによって画像表示手段（３、９）を収容位置から突出位置まで自動的に移動させるので、画像表示手段（３、９）の操作性を向上させることができる。尚、本実施形態においては、操作手段４の操作によって画像表示手段（３、９）を収容位置から突出位置まで自動的に移動させるよう構成されているが、収容位置にある画像表示手段（３、９）を遊技者が手で引っ張ることにより、突出位置まで移動させる構成としてもよい。
【００３８】
更に、画像表示手段（３、９）を収容位置から突出位置に向かって付勢する付勢手段８を具備し、操作手段４は、当該画像表示手段（３、９）を収容位置で係止可能とされるとともに、当該操作手段４を操作することにより当該係止を解除し、付勢手段８の付勢力にて当該画像表示手段（３、９）を収容位置から突出位置まで自動的に移動させるので、モータなどの別個のアクチュエータを必要とせず、製造コストを低減させることができる。
【００３９】
以上、本実施形態について説明したが、本発明はこれらに限定されるものではなく、例えば表示画面（本実施形態における表示画面３ａ、３ｂ）の向きが変わらないもの（但し、画像表示手段が収容位置と突出位置との間で移動可能とされたもの）に適用するようにしてもよい。尚、本実施形態においては、隣接するパチンコ遊技機Ｐの間に設置された台間表示装置に適用されているが、他の遊技機（パチスロ或いはスロットマシン等）の間に設置するものとしてもよい。
【産業上の利用可能性】
【００４０】
装置本体の内部に収容された収容位置と、当該装置本体から突出して表示画面を視認させ得る突出位置との間で移動可能とされた画像表示手段と、画像表示手段を収容位置から突出位置に向かって常時付勢する付勢手段と、画像表示手段を収容位置で係止可能な操作手段とを具備し、操作手段を操作することにより係止を解除し、付勢手段の付勢力にて当該画像表示手段を収容位置から突出位置まで自動的に移動させるものとされ、且つ、当該付勢手段は、ベルトを介して収容位置から突出位置に向かって画像表示手段に付勢力を伝達させ得る台間表示装置であれば、外観形状が異なるもの或いは他の機能が付加されたもの等にも適用することができる。
【符号の説明】
【００４１】
１  台間表示装置
２  装置本体
３  画像表示手段
３ａ  表示画面
４  操作手段
５  移動機構
６  案内部材
７  摺動部材
８  付勢手段
９  画像表示手段
９ａ  表示画面
１０  付勢バネ
１１  軸状部材
１２  固定部材
Ｐ  パチンコ遊技機
Ｓ  島設備
【図１】
0005840354.tif 000002
【図２】
0005840354.tif 000003
【図３】
0005840354.tif 000004
【図４】
0005840354.tif 000005
【図５】
0005840354.tif 000006
【図６】
0005840354.tif 000007
【図７】
0005840354.tif 000008
【図８】
0005840354.tif 000009
【図９】
0005840354.tif 000010
【図１０】
0005840354.tif 000011
【図１１】
0005840354.tif 000012
【図１２】
0005840354.tif 000013
【図１３】
0005840354.tif 000014
【図１４】
0005840354.tif 000015
【図１５】
0005840354.tif 000016
【図１６】
0005840354.tif 000017
【図１７】
0005840354.tif 000018
【図１８】
0005840354.tif 000019
【図１９】
0005840354.tif 000020
【図２０】
0005840354.tif 000021
【図２１】
0005840354.tif 000022
【図２２】
0005840354.tif 000023